(57)【特許請求の範囲】
【請求項１】
軒樋本体の外側片部の下部を内側に屈曲して段部とし、上端部から化粧シート部を一体に連出した厚肉部材の化粧シート部を軒樋本体の外側片部の外面に取着するとともに段部の外面部に別体の厚肉部材を取着して成ることを特徴とする軒樋。
【請求項２】
段部が弧状に屈曲した弧状段部であり、厚肉部材の外面が角形形状をしていること特徴とする請求項１記載の軒樋。
【請求項３】
段部が角形に屈曲した角形段部であり、厚肉部材の外面が弧状をしていること特徴とする請求項１記載の軒樋。
【請求項４】
化粧シート部の表面部が凹凸形状をした立体模様であることを特徴とする請求項１記載の軒樋。
【発明の詳細な説明】
【０００１】
【発明の属する技術分野】
本発明は、軒樋に関するものである。
【０００２】
【従来の技術】
従来から軒樋の外側片部の下部を内側に屈曲して段部とすることで軒樋の外観を向上させるようにしたものが知られている。
【０００３】
ところが、従来にあっては、外観上異なる形状の段部を有した軒樋とするには軒樋を別に形成する必要があった。このため、従来にあっては、多種類の軒樋を製造して容易する必要があった。
【０００４】
また、全体が角形をした角樋と称される軒樋の外側片部に上記のように段部を形成するに当たり、外側片部の内面に沿って雨水が上から下に流れやすいように弧状にすることが行われているが、このような場合、角形をした軒樋の一部に弧状となった部分があり、角樋としての外観が失われる建物の他の部材との統一感を出すことができないことがある。また、逆に、全体が角形をした角樋と称される軒樋の外側片部に上記のように段部を形成したものにおいて、一部に丸みを持たせて外観に変化を持たせたい場合もある。
【０００５】
このように、建物の他の部材との関係や、顧客の好み等により、軒樋として種々の要望があるが、従来にあっては、これらの要望を満たすには多種類の軒樋を製造する必要があり、金型コストが高くなるという問題があった。
【０００６】
また、従来の軒樋は合成樹脂製であり、外面が無味乾燥な単一色のものであって安っぽくて、建物の他の構成部材と違和感があり、外観が良くないという問題があった。
【０００７】
【発明が解決しようとする課題】
本発明は上記の点に鑑みてなされたものであり、簡単な構成で外観上異なる形状の段部を有した軒樋とすることができる軒樋を提供することを課題とするものである。
【０００８】
【課題を解決するための手段】
上記課題を解決するために本発明に係る軒樋は、軒樋本体１の外側片部２の下部を内側に屈曲して段部３とし、上端部から化粧シート部５を一体に連出した厚肉部材４の化粧シート部５を軒樋本体１の外側片部２の外面に取着するとともに段部３の外面部に別体の厚肉部材４を取着して成ることを特徴とするものである。このような構成とすることで、軒樋本体１の段部３に別体の厚肉部材４を取着した場合には、取着しなかった場合と異なる形状とすることができて、厚肉部材４を取着するという簡単な構成で外観上異なる形状の段部を有した軒樋Ａとすることができるものであり、また、外から見て目立つ部分である軒樋本体１の外側片部２の外面を化粧シート部５で化粧できるものであり、化粧シート部５を一体に連出した厚肉部材４として模様や色が異なるものを複数種類用意してその中から選択して用いることで、現場毎に異なる建物と外観上統一した軒樋Ａとすることができるものである。
【０００９】
また、段部３が弧状に屈曲した弧状段部３ａであり、厚肉部材４の外面が角形形状をしていることが好ましい。このような構成とすることで、段部３が弧状段部３ａとなっていることで軒樋本体１の外側片部２の内面を上から下に雨水が流れる際に段部３部分で水跳したり、段部３部分に水が溜まることなく、スムーズに軒樋本体１の底片部６に流れることができるものであり、しかも、このように段部３を弧状としたにもかかわらず、外面が角形形状をした厚肉部材４を弧状段部３ａの外面に取着することで外観を角形形状にできるものである。
【００１０】
また、段部３が角形に屈曲した角形段部３ｂであり、厚肉部材４の外面が弧状をしていることが好ましい。このような構成とすることで、段部３が角形をした角形段部３ｂであるにもかかわらず、外面が弧状をした厚肉部材４を角形段部３ｂの外面に取着することで角形段部３ｂの外面部分を丸みをもった形状にできることになる。
【００１２】
また、化粧シート部５の表面部が凹凸形状をした立体模様であることが好ましい。このような構成とすることで、段部３だけではなく他の部分も立体模様が背設された軒樋Ａを提供することができるものである。
【００１３】
【発明の実施の形態】
以下、本発明を添付図面に示す実施形態に基づいて説明する。
【００１４】
軒樋本体１は合成樹脂製又は金属芯材の外周部に合成樹脂層を被覆形成したものであり、底片部６の外側端部から上方に向けて外側片部２を一体に突出形成するとともに、底片部６の内側端部から上方に向けて内側片部７を一体に突出形成したもので、外側片部２の上端部及び内側片部７の上端部にはそれぞれ一体に耳部１９が形成してある。また、外側片部２の下部は内側に屈曲してあって段部３となっている。本発明においてはこの外側片部２に形成した段部３の外面部に別体の厚肉部材４を取着することに特徴がある。厚肉部材４は合成樹脂により形成された中空又は中実の長尺部材であり、形状、色、模様等の種々異なる厚肉部材４を用意して、これらの中から選択して軒樋本体１の段部３の外面に接着や熱溶着により取着して軒樋Ａを形成するものであり、このように軒樋本体１の段部３に別体の厚肉部材４を取着した場合には、取着しなかった場合と異なる形状とすることができて、厚肉部材４を取着するという簡単な構成で外観上異なる形状の段部を有した軒樋Ａとできるのである。
【００１５】
図１、図２には本発明の一実施形態が示してある。本実施形態においては、軒樋本体１の外側片部２の下部に形成した段部３が内側方に凹んだ弧状に屈曲した弧状段部３ａとなっている。また、軒樋本体１は弧状段部３ａを除く他の部分は外面が角形形状をしている。そして、本実施形態においては、弧状段部３ａの外面に取着する厚肉部材４として外面が角形形状をしたものを用いてある。つまり、段部３が弧状となっていることで軒樋本体１の外側片部２の内面を上から下に雨水が流れる際に段部３部分で水跳したり、段部３部分に水が溜まることなく、図１（ｂ）の矢印のようにスムーズに軒樋本体１の底片部６に流れることができるものであり、しかも、このように弧状段部３ａとしたにもかかわらず、外面が角形形状をした厚肉部材４を段部３の外面に取着することで軒樋Ａの外観を角形形状にできることになる。
【００１６】
図３、図４には本発明の他の実施形態が示してある。本実施形態においては、軒樋本体１の外側片部２の下部に形成した段部３が内側方に角形に屈曲した角形段部３ｂとなっている。また、軒樋本体１は外面全体が角形形状をしている。そして、本実施形態においては、角形段部３ｂの外面に取着する厚肉部材４として外面が弧状形状をしたものを用いてある。このように、角形形状をした角形段部３ｂの外面に弧状形状をした外面の厚肉部材４を取着することで全体が角形形状をした軒樋Ａの一部に丸みを持った段部３を形成することができて、軒樋Ａの形状に変化を持たせることができるものである。
【００１７】
図５、図６や図７、図８には本発明の更に他の実施形態が示してある。これら図５、図６又は図７、図８に示す各実施形態においては、厚肉部材４の上端部から化粧シート部５を一体に連出したものを軒樋本体１に取着して軒樋Ａを形成してある。すなわち、軒樋本体１の外側片部２の外面に化粧シート部５を取着するとともに段部３の外面部に別体の厚肉部材４を取着してある。このように、段部３の外面部に厚肉部材４を取着するだけでなく、外側片部２の外面に化粧シート部５を取着することで、段部３の外面を厚肉部材４で化粧するだけでなく、外から見て目立つ部分である軒樋本体１の外側片部２の外面を化粧シート部５で化粧できるものであり、この場合、化粧シート部５を延出した厚肉部材４として模様や色が異なるものを複数種類用意してその中から選択して用いることで、現場毎に異なる建物と外観上統一した軒樋Ａとすることができるものである。
【００１８】
図９、図１０や図１１、図１２には本発明の更に他の実施形態が示してある。これら図９、図１０や図１１、図１２に示す各実施形態においては、厚肉部材４から一体に連出した化粧シート部５の表面部に凹凸形状をした立体模様部５ａを形成してある。この立体模様部５ａは内部が中空でも中実でもどちらでもよい。このように、化粧シート部５の表面部に凹凸形状をした立体模様部５ａを形成すると、段部３だけではなく他の部分も立体模様が形成された軒樋Ａを提供することができるものである。
【００１９】
なお、上記各実施形態において、肉厚部材４（肉厚部材４単独の場合、あるいは肉厚部材４に化粧シート部５を一体に連出したものの場合のいずれも含む）を軒樋本体１に取着することなく、軒樋本体１を単独でこれをそのまま軒樋として使用することも可能である。
【００２０】
【発明の効果】
上記のように本発明の請求項１記載の発明にあっては、軒樋本体の外側片部の下部を内側に屈曲して段部とし、上端部から化粧シート部を一体に連出した厚肉部材の化粧シート部を軒樋本体の外側片部の外面に取着するとともに段部の外面部に別体の厚肉部材を取着してあるので、軒樋本体の段部に別体の厚肉部材を取着した場合には、取着しなかった場合と異なる形状とすることができて、厚肉部材を取着するという簡単な構成で外観上異なる形状の段部を有した軒樋とすることができるものである。つまり、本発明にあっては、従来のように、一体成形された形状の異なる多種類の軒樋を製造する必要がなく、基本形状が共通した段部を有する軒樋本体に厚肉部材を取着するという簡単な構成で、段部形状が異なる軒樋とすることができ、製造コストを低下させることができるものである。また、外から見て目立つ部分である軒樋本体の外側片部の外面を化粧シート部で化粧できるものであり、化粧シート部を一体に連出した厚肉部材として模様や色が異なるものを複数種類用意してその中から選択して用いることで、現場毎に異なる建物と外観上統一した軒樋とすることができるものである。
【００２１】
また、請求項２記載の発明にあっては、上記請求項１記載の発明の効果に加えて、段部が弧状に屈曲した弧状段部であり、厚肉部材の外面が角形形状をしているので、弧状段部の存在により段部を設けたといえども軒樋本体の外側片部の内面を上から下に雨水が流れる際に段部部分で水跳したり、段部部分に水が溜まることなく、スムーズに軒樋本体の底片部に流れることができるものであり、しかも、外面が角形形状をした厚肉部材を弧状段部の外面に取着することで簡単な構成で外観を角形形状にできるものである。
【００２２】
また、請求項３記載の発明にあっては、上記請求項１記載の発明の効果に加えて、段部が角形に屈曲した角形段部であり、厚肉部材の外面が弧状をしているので、段部が角形をした角形段部であるにもかかわらず、外面が弧状をした厚肉部材を角形段部の外面に取着するという簡単な構成で角形段部の外面部分を丸みをもった形状にできるものである。
【００２４】
また、請求項４記載の発明にあっては、上記請求項３記載の発明の効果に加えて、化粧シート部の表面部が凹凸形状をした立体模様であるので、段部だけではなく他の部分も立体模様が背設された軒樋を提供することができるものである。
【図面の簡単な説明】
【図１】（ａ）は本発明の一実施形態の斜視図であり、（ｂ）は断面図である。
【図２】同上の分解斜視図である。
【図３】（ａ）は本発明の他の実施形態の斜視図であり、（ｂ）は断面図である。
【図４】同上の分解斜視図である。
【図５】（ａ）は同上の他の実施形態の斜視図であり、（ｂ）は断面図である。
【図６】同上の分解斜視図である。
【図７】（ａ）は同上の更に他の実施形態の斜視図であり、（ｂ）は断面図である。
【図８】同上の分解斜視図である。
【図９】（ａ）は同上の更に他の実施形態の斜視図であり、（ｂ）は断面図である。
【図１０】同上の分解斜視図である。
【図１１】（ａ）は同上の更に他の実施形態の斜視図であり、（ｂ）は断面図である。
【図１２】同上の分解斜視図である。
【符号の説明】
１  軒樋本体
２  外側片部
３  段部
４  厚肉部材
５  化粧シート部
【図１】
0003546777.tif 000002
【図２】
0003546777.tif 000003
【図３】
0003546777.tif 000004
【図４】
0003546777.tif 000005
【図５】
0003546777.tif 000006
【図６】
0003546777.tif 000007
【図７】
0003546777.tif 000008
【図８】
0003546777.tif 000009
【図９】
0003546777.tif 000010
【図１０】
0003546777.tif 000011
【図１１】
0003546777.tif 000012
【図１２】
0003546777.tif 000013